(57)【特許請求の範囲】
【請求項１】
内面に二条螺子で構成される螺旋溝を設けた軸筒と、前記軸筒に回動自在に配設された内筒と、棒状部材を保持する支持部を有するスライダーと、前記内筒に取り付けられる操作部材とからなり、前記軸筒を前記内筒の前部に形成した外段部と前記操作部材の段部により挟持し、前記内筒に形成された孔に２つの前溝を互いに対向して前記外段部と一致させて形成すると共に、前記前溝から延長されて後方に伸びた後溝のみが前記内筒の筒部の表面に開口するよう互いに対向して形成し、且つ前記後溝の幅を前記前溝の幅より太幅に形成し、前記スライダーの本体部分に切溝を形成して撓み部を設け、更に、前記本体部分の外側面における前記撓み部側の相対位置に隆起部を形成し、前記隆起部の各々に前記軸筒の螺旋溝に係合する突起を２つずつ相対位置で形成し、前記隆起部より前方へ延びる２つの支持部を互いに対向して形成し、前記支持部の幅を前記内筒の前溝より細幅に形成すると共に、前記隆起部の幅を前記内筒の後溝より細幅で且つ前溝より太幅に形成し、前記スライダーを前記内筒内に配設させると共に該スライダーの支持部及び隆起部を該内筒の後溝内に位置させ、前記スライダーを前記内筒に対して長手方向には摺動可能で且つ回動不能に構成し、更に、前記スライダーの突起を前記軸筒の螺旋溝に係合させ、前記軸筒に対して前記内筒を回動させることにより前記スライダーを前後方向に移動させるが、前記スライダーが最前進位置まで前進させられた時には、前記スライダーの支持部が前記内筒の前溝を挿通して当該内筒の先端より突出すると共に、前記スライダーの本体部分の外側面に形成された隆起部が前記内筒の外段部と一体になった後溝の前端縁に当接して当該スライダーの前進が停止されることを特徴とする棒状部材繰出装置。
【請求項２】
前記軸筒の螺旋溝が形成される部分の表面を非光沢部分に構成したことを特徴とする請求項１記載の棒状部材繰出装置。
【請求項３】
前記軸筒の表面に転写等の印刷により非光沢部分を構成したことを特徴とする請求項２記載の棒状部材繰出装置。
【発明の詳細な説明】
【技術分野】
【０００１】
本発明は、鉛筆の黒芯や色芯、クレヨン、消しゴム、化粧品の口紅やアイブロー等の棒状部材を繰り出す棒状部材繰出装置に関するものである。
【背景技術】
【０００２】  従来の棒状部材繰出装置としては、内面に螺旋溝を有する筒状体（軸筒に相当）に、筒状体の上端面に摺接する環状頭部ストッパと軸方向のスリット（後溝に相当）とを有する案内筒（内筒に相当）を軸方向移動不能で回転自在に嵌挿し、スリット及び螺旋溝にそれぞれ挟持片及び突部を係合させた棒状物受台（スライダーに相当）を案内筒内に設け、棒状物受台の突部が環状頭部ストッパに当たるまで回転操作すると、挟持片が筒状体の先端より突出した状態になるので、挟持片に挟持された棒状消しゴムの残部を極めて容易に除去できるものが知られている。（特許文献１、図３及び段落００１２参照）【特許文献１】特開平６−１５５９８３号公報
【発明の開示】
【発明が解決しようとする課題】
【０００３】
しかし、上記した棒状部材繰出装置は、棒状物受台の突部が環状頭部ストッパに当たることによって回転操作を停止する構造となっているために、強い力で回転操作を行ってしまうと突部が変形したり破損してしまい、突部が軸筒の螺旋溝内をスムーズに摺動できなくなってしまう課題があった。
【０００４】
また、軸筒の螺旋溝が一条螺子で構成した場合には、スライダーに形成される２つの突起を相対位置に設けることができず、前後にくいちがった位置に構成しなければならなかった。しかし、スライダーの突起が前後にくいちがって構成した場合には、棒状物に後方への力が加えられるとスライダーが傾いてしまう恐れがあり、クレヨン等の柔らかい棒状物の場合には折れてしまう恐れがあった。
【０００５】
更に、軸筒内に螺旋溝を形成したものは、軸筒を射出成形により形成した時に、軸筒の螺旋溝に相当する部分の表面がヒケてしまって、軸筒の表面が螺旋溝に沿って凹んでしまい、特に、軸筒の表面を光沢に形成した場合には、光の反射によって凹みが目立ってしまう課題があった。
【０００６】
本発明は、上記課題を解消する棒状部材繰出装置を提供することを目的とするものである。
【課題を解決するための手段】
【０００７】
本発明の棒状部材繰出装置は、内面に二条螺子で構成される螺旋溝（１Ａ）を設けた軸筒（１）と、前記軸筒（１）に回動自在に配設された内筒（１２）と、棒状部材（５）を保持する支持部（３Ｄ）を有するスライダー（３）と、前記内筒（1２）に取り付けられる操作部材（４）とからなり、前記軸筒（１）を前記内筒（１２）の前部に形成した外段部（１２Ａ）と前記操作部材（４）の段部（４Ｆ）により挟持し、前記内筒（１２）に形成された孔に２つの前溝（１２Ｃ）を互いに対向して前記外段部（１２Ａ）と一致させて形成すると共に、前記前溝（１２Ｃ）から延長されて後方に伸びた後溝（１２Ｅ）のみが前記内筒の筒部（１２Ｄ）の表面に開口するよう互いに対向して形成し、且つ前記後溝（１２Ｅ）の幅を前記前溝（１２Ｃ）の幅より太幅に形成し、前記スライダー（３）の本体部分（３０）に切溝（３Ａ）を形成して撓み部（３０Ａ）を設け、更に、前記本体部分（３０）の外側面における前記撓み部（３０Ａ）側の相対位置に隆起部（３Ｂ）を形成し、前記隆起部（３Ｂ）の各々に前記軸筒（１）の螺旋溝（１Ａ）に係合する突起（３Ｃ）を２つずつ相対位置で形成し、前記隆起部（３Ｂ）より前方へ延びる２つの支持部（３Ｄ）を互いに対向して形成し、前記支持部（３Ｄ）の幅を前記内筒（１２）の前溝（1２Ｃ）より細幅に形成すると共に、前記隆起部（３Ｂ）の幅を前記内筒（１２）の後溝（１２Ｅ）より細幅で且つ前溝（１２Ｃ）より太幅に形成し、前記スライダー（３）を前記内筒（１２）内に配設させると共に該スライダー（３）の支持部（３Ｄ）及び隆起部（３Ｂ）を該内筒（１２）の後溝（１２Ｅ）内に位置させ、前記スライダー（３）を前記内筒（１２）に対して長手方向には摺動可能で且つ回動不能に構成し、更に、前記スライダー（３）の突起（３Ｃ）を前記軸筒（１）の螺旋溝（１Ａ）に係合させ、前記軸筒（１）に対して前記内筒（１２）を回動させることにより前記スライダー（３）を前後方向に移動させるが、前記スライダー（３）が最前進位置まで前進させられた時には、前記スライダー（３）の支持部（３Ｄ）が前記内筒（１２）の前溝（１２Ｃ）を挿通して当該内筒（１２）の先端より突出すると共に、前記スライダー（３）の本体部分（３０）の外側面に形成された隆起部（３Ｂ）が前記内筒（１２）の外段部（１２Ａ）と一体になった後溝（１２Ｅ）の前端縁（１２Ｇ）に当接して当該スライダー（３）の前進が停止されることを第１の要旨とする。
【０００８】
前記軸筒（1１）の螺旋溝（１Ａ）が形成される部分の表面を非光沢部分（１１Ｂ）に構成したことを第２の要旨とする。
【０００９】
前記軸筒（1１）の表面に転写等の印刷により非光沢部分（１１Ｂ）を構成したことを第３の要旨とする。
【００１０】
【発明の効果】
【００１１】
本発明の棒状部材繰出装置は、スライダーが最前進位置まで前進させられた時には、スライダーの隆起部が後溝の前端縁に当接されてスライダーの前進が停止されるので、スライダーの突起が変形したり破損する恐れが全くないという利点が得られる。
【発明を実施するための最良の形態】
【００１２】
スライダーの前進を停止する時にスライダーの突起が当接されないので、突起が変形したり破損する恐れがない棒状部材繰出装置を実現した。
【００１３】
図１、図２、図３、図４、図５、図６及び図７に基づいて本発明における棒状部材繰出装置を説明する。尚、棒状部材としてはクレヨンで説明する。また、図１の左側を前方とし、右側を後方とする。先ず、両端が開口した筒状の軸筒１の内面に螺旋溝1Ａを形成する。この螺旋溝１Ａは二条螺子で形成する。この軸筒１に形成される螺旋溝１Ａはコアピンを無理抜きして成形し、軸筒１の先端部は螺旋溝１Ａが形成されないように構成する。
【００１４】
また、図４に示したように、内筒２の前部に外段部２Ａを形成し、かつ、内筒２に形成された孔２Ｂの前部に２つの前溝２Ｃを互いに対向して形成する。この前溝２Ｃは外段部２Ａより後方に伸びて形成されるが、この外段部２Ａより後方に伸びた部分は筒部２Ｄ表面に開口して形成される。更に、前溝２Ｃから延長されて後方に伸びた後溝２Ｅを互いに対向して形成し、この後溝２Ｅは前溝２Ｃより太幅に形成する。しかも、後溝２Ｅは内筒２の筒部２Ｄ表面に開口して形成するとともに筒部２Ｄの後端まで伸びて形成される。更に、筒部２Ｄの後部には２つの開口窓２Ｆが互いに対向して形成される。
【００１５】
更に、スライダー３の本体部分３０の後部両側に切溝３Ａを形成して撓み部３０Ａを形成し、本体部分３０の外側面における撓み部３０Ａ側となる上下の相対位置に図５及び図６に示した隆起部３Ｂを形成する。また、それぞれの隆起部３Ｂに２つの突起３Ｃを形成する。この２つの突起３Ｃは前記軸筒１の二条の螺旋溝１Ａに係合可能に構成するとともに、隆起部３Ｂに形成された２つずつの突起３Ｃは互いに相対位置に構成される。更に、それぞれの隆起部３Ｂから前方に突出させて２つの支持部３Ｄを形成する。また、相対する２つの支持部３Ｄの幅は前記内筒２の前溝２Ｃより細幅に形成する。また、隆起部３Ｂの幅は内筒２の後溝２Ｅより細幅で前溝２Ｃより太幅に形成する。
【００１６】
更にまた、操作部材４の操作部には等間隔に３つの凹部４Ａを形成するとともに、回転防止のための突起４Ｂを形成する。また、操作部材４の前部には、長手方向に伸びたキー４Ｃが上下の相対位置に形成される。更に、操作部材４の前部両側にはコ字状に切り欠いて弾性片４Ｄを形成し、この２つの弾性片４Ｄは互いに対向して構成される。また、それぞれの弾性片４Ｄの端には外側に突出した係止突起４Ｅが形成され、この係止突起４Ｅの前端は傾斜面とし、後端は垂直面とする。
【００１７】
前記内筒２を軸筒１の前方より挿入する。次に、支持部３Ｄにクレヨン５を保持したスライダー３を軸筒１の後方より挿入し、内筒２の後溝２Ｅにスライダー３の隆起部３Ｂを合わせて押し込む。そして、スライダー３の突起３Ｃを軸筒１の螺旋溝１Ａに係合させる。従って、スライダー３は内筒２内に長手方向には摺動可能でかつ回動不能に内蔵される。
【００１８】  更に、軸筒１の後方より操作部材４の前部を内筒２の後溝２Ｅにキー４Ｃを合わせて挿入する。そして、弾性片４Ｄに形成した係止突起４Ｅを内筒２の開口窓２Ｆに係止し、操作部材４は回動不能に内筒２に取り付けられる。また、軸筒１は、内筒２の外段部２Ａと操作部材４の段部４Ｆにより挟持され、軸筒１に対して内筒２及び操作部材４を回動可能に取り付け、棒状部材繰出装置を構成する。【００１９】
この図１、図２及び図３の状態からクレヨン５で描画する場合には、軸筒１を保持して操作部材４の操作部を右回転させると、内筒２と共にスライダー３が回動し、スライダー３の突起３Ｃが二条の螺旋溝１Ａに沿って前進する。すると、スライダー３に保持されたクレヨン５がスライダー３と共に前進して、クレヨン５の先端が内筒２の前端から突出する。そして、描画によりクレヨン５が消耗した場合には、操作部を右回転させて順次クレヨン５を繰り出し描画を行う。
【００２０】
そして、クレヨン５が消耗すると、スライダー３の支持部３Ｄが内筒２の前溝２Ｃを挿通して内筒２の先端から突出するとともに、スライダー３の隆起部３Ｂが内筒２の後溝２Ｅの前端縁２Ｇに当接し、図７の状態となってスライダー３の前進が止められる。この時、隆起部３Ｂはかなり強い力で後溝２Ｅの前端縁２Ｇに当接されるが、隆起部３Ｂは変形したり破損することなく確実に停止される。この短くなったクレヨン５はスライダー３の支持部３Ｄから除去され、新しいクレヨン５を支持部３Ｄに装着する。この状態では、支持部３Ｄが内筒２の先端より突出して露出しているので、短くなったクレヨン５の除去や、新しいクレヨン５の装着を容易に行うことができる。
【００２１】
更に、軸筒１の二条の螺旋溝１Ａに係合されるスライダー３の２つずつの突起３Ｃは、互いに相対位置に構成されているので、クレヨン５に力が加えられても傾斜する恐れはない。また、２つずつの突起３Ｃでスライダー３を支えているので、突起３Ｃが螺旋溝１Ａから外れてしまう心配もない。
【００２２】
図８は、軸筒１１の螺旋溝が形成される部分の表面に転写によって梨地状の非光沢部分１１Ｂを形成したものである。合成樹脂製の軸筒１１を射出成形で形成した場合には、内側に螺旋溝を形成すると軸筒１１の表面がヒケてしまい螺旋溝に沿って凹んでしまうが、この部分を非光沢にすることによって凹みを目立たなく構成することが出来る。
【００２３】
図９は、内筒１２の前溝を外段部１２Ａと一致させ、前溝より太幅に形成される後溝１２Ｅのみが筒部１２Ｄ表面に開口して形成したものである。
【００２４】
この場合には、スライダー３の隆起部３Ｂが外段部１２Ａと一体となった後溝１２Ｅの前端縁１２Ｇに当接されるので、後溝１２Ｅの前端縁１２Ｇがより強固に形成できるものである。
【００２５】
尚、本発明は上記実施例に限定されるものではなく、軸筒は複数の部材を組み合わせて一体に構成することも可能である。また、軸筒に形成される非光沢部分は転写等の印刷に限定されるものではなく、軸筒の表面を成形時に梨地状に形成することも可能である。
【産業上の利用可能性】
【００２６】
スライダーの隆起部を後溝の前端縁に当接することによってスライダーの最前進位置での停止を行うので、強い力でスライダーが内筒に当接されてもスライダーの突部が変形したり破損する恐れがない棒状部材繰出装置に適用できる。
【図面の簡単な説明】
【００２７】
【図１】棒状部材繰出装置を示す断面図である。
【図２】図１のＡ−Ａ線を示す断面図である。
【図３】本発明の棒状部材繰出装置を示す部分断面図である。
【図４】内筒を示す断面図である。
【図５】スライダーを示す平面図である。
【図６】スライダーを示す左側面図である。
【図７】スライダーが最前進位置で停止した状態を示す部分断面図である。
【図８】軸筒を示す正面図である。
【図９】棒状部材繰出装置を示す主要部部分断面図である。
【符号の説明】
【００２８】
１，１１…軸筒、１Ａ…螺旋溝、、１１Ｂ…非光沢部分
２，１２…内筒、２Ａ，１２Ａ…外段部、２Ｂ…孔、
２Ｃ，１２Ｃ…前溝、２Ｄ，１２Ｄ…筒部、
２Ｅ，１２Ｅ…後溝、２Ｆ…開口窓、２Ｇ，１２Ｇ…前端縁、
３…スライダー、
３Ａ…切溝、３Ｂ…隆起部、３Ｃ…突起、３Ｄ…支持部、
３０…本体部分、３０Ａ…撓み部、
４…操作部材、４Ａ…凹部、４Ｂ…突起、４Ｃ…キー、
４Ｄ…弾性片、４Ｅ…係止突起、４Ｆ…段部、
５…クレヨン。
【図１】
0005288584.tif 000002
【図２】
0005288584.tif 000003
【図３】
0005288584.tif 000004
【図４】
0005288584.tif 000005
【図５】
0005288584.tif 000006
【図６】
0005288584.tif 000007
【図７】
0005288584.tif 000008
【図８】
0005288584.tif 000009
【図９】
0005288584.tif 000010